(57)【要約】【課題】樹脂製の保持器本体を補強部材によって効率良く補強した玉軸受用の冠形保持器を提供する。【解決手段】環状のベース部３と、ベース部３の一側部から軸方向に延びる複数の柱部４と、転動体１３を転動可能に保持するために柱部４間に形成されたポケット部６とを備える樹脂製の保持器本体２と、保持器本体２を補強する金属製の補強部材５とを有する玉軸受用の冠形保持器１であって、補強部材５は、柱部４の先端部の周方向両端部に渡って周方向に延出し、かつ転動体１３のピッチ円径よりも内周側に配設された先端補強部５ａを有する。【選択図】        図２
2007263280.tif 000002
【特許請求の範囲】
【請求項１】
環状のベース部と、そのベース部の一側部から軸方向に延びる複数の柱部と、転動体を転動可能に保持するために前記柱部間に形成された複数のポケット部とを備える樹脂製の保持器本体と、その保持器本体を補強する金属製の補強部材とを有する玉軸受用の冠形保持器であって、
前記補強部材は、前記柱部の先端部の周方向両端部に渡って周方向に延出し、かつ前記転動体のピッチ円径よりも内周側に配設された先端補強部を有することを特徴とする玉軸受用の冠形保持器。
【請求項２】
請求項１に記載の玉軸受用の冠形保持器であって、
柱部の先端部は、転動体に沿って延出する一対の爪を有した二割れ形状になっており、
先端補強部によって前記一対の爪の内周側部間が架橋されていることを特徴とする玉軸受用の冠形保持器。
【請求項３】
請求項１または２に記載の玉軸受用の冠形保持器であって、
補強部材は、一本の金属製の線部材によって形成されており、各柱部に設けられる先端補強部と、前記先端補強部間を連結するために保持器本体内に延設された連結部とを交互に有していることを特徴とする玉軸受用の冠形保持器。
【発明の詳細な説明】
【技術分野】
【０００１】
本発明は、樹脂製の保持器本体と、その保持器本体を補強する金属製の補強部材を有する玉軸受用の冠形保持器に関する。
【背景技術】
【０００２】
従来、様々な玉軸受用の冠形保持器が知られている。
特許文献１，２に記載の保持器は、冠形の樹脂製の保持器本体を有しており、保持器本体は、樹脂製であるために金属製のものに比べて変形し易い。また保持器本体は、環状のベース部から軸方向に延出する片持ち梁状の柱部を有しており、高速回転下で使用した際に柱部が遠心力によって径方向外方に変形しやすい。そのため柱部間に形成されたポケット部の内周側部が転動体に当接し、転動体の転動を妨げたり、保持器に異常磨耗や亀裂が発生したりするなどのおそれがある。これを防ぐために特許文献１，２に記載の保持器は、保持器本体を補強するための金属製の補強部材をも備えている。
【特許文献１】特開平１０−９２７２号公報
【特許文献２】特開２０００−２７４４３６号公報
【発明の開示】
【発明が解決しようとする課題】
【０００３】
そして特許文献１に記載の補強部材は、保持器本体の径方向中心位置に内設されており、特許文献２に記載の補強部材は、保持器本体の外周面に内設されている。しかし補強部材によって保持器本体を効率良く補強し、柱部の変形を効率良く防止したいという要望が従来ある。
そこで本発明は、樹脂製の保持器本体を補強部材によって効率良く補強した玉軸受用の冠形保持器を提供することを課題とする。
【課題を解決するための手段】
【０００４】
前記課題を解決するために本発明は、各請求項に記載の通りの構成を備える玉軸受用の冠形保持器であることを特徴とする。
請求項１に記載の発明によると、補強部材は、柱部の先端部の周方向両端部に渡って周方向に延出し、かつ転動体のピッチ円径よりも内周側に配設された先端補強部を有している。
【０００５】
したがって補強部材は、遠心力によって最も大きく変位し易い片持ち梁状の柱部の先端部を先端補強部によって補強する。また柱部は、先端部の周方向両端部の内周側部が遠心力によって柱部間に設けられたポケット部に向けて力を受ける。例えば図３に示すように柱部（４）の周方向両端部の内周側部（４ａ１，４ｂ１）がそれぞれ矢印Ａ方向と矢印Ｂ方向に力を受ける。そして先端補強部（５ａ）は、柱部の先端部の周方向両端部内周側部に渡って周方向に延出するために、両端部が逆方向の引張力を受ける。そのため先端補強部は、遠心力によって発生した前記引張力を利用して柱部の先端部の変位を効率良く防止することができる。
【０００６】
請求項２に記載の発明によると、柱部の先端部は、転動体に沿って延出する一対の爪を有した二割れ形状になっている。そして先端補強部によって前記一対の爪の内周側部間が架橋されている。
したがって柱部の先端部は、一対の爪によって周方向の厚みが爪のない形態よりも薄くなっており、変形し易い構成になっている（図２参照）。そして一対の爪の内周側部は、それぞれポケット部に向けた方向の力を受ける。例えば図３に示すように一対の爪の内周側部（４ａ１，４ｂ１）がそれぞれ矢印Ａ方向、Ｂ方向の力を受ける。そして先端補強部は、一対の爪の内周側部を架橋しているため、両端部が逆方向の引張力を受ける。そのため先端補強部は、遠心力によって発生した引張力によって各爪の変位を効率良く防止することができる。
【０００７】
請求項３に記載の発明によると、補強部材は、一本の金属製の線部材によって形成されている。そして各柱部に設けられる先端補強部と、先端補強部間を連結するために保持器本体内に延設された連結部とを交互に有している。
したがって補強部材は、一本の金属製の線部材によって形成された容易な構成になっており、かつ部品点数の増加を抑えた構成になっている。
【発明を実施するための最良の形態】
【０００８】
実施の形態を図１〜４にしたがって説明する。
実施の形態に係る玉軸受１０は、図４に示すように内輪１１、外輪１２、これら内輪１１と外輪１２の間に介装される複数の転動体（玉）１３、及び保持器１を有している。
【０００９】
保持器１は、図１に示すように冠形の保持器であって、樹脂製の保持器本体２と、保持器本体２を補強する金属製の補強部材５を有している。
保持器本体２は、環状のベース部３と、ベース部３の一側部から軸方向に延びる複数の柱部４を一体に有しており、柱部４間にポケット部６を有している。
ポケット部６は、図１に示すように転動体１３を転動可能に保持する凹球面状の曲面を有している。
【００１０】
柱部４は、ベース部３の一側部に周方向等間隔に形成されている。
柱部４は、図２に示すようにベース部３から延出し、先端部に一対の爪４ａ，４ｂを有している。爪４ａ，４ｂは、柱部４の先端部の周方向両端部に形成されており、柱部４の先端部は、爪４ａ，４ｂによって周方向に二割れ形状になっている。
爪４ａ，４ｂは、転動体１３（ポケット部６）に沿って延出し、互いに周方向に離間する。そして一対の爪４ａ，４ｂの間には、略Ｖ字状の溝４ｃが形成されている。
【００１１】
補強部材５は、図２に示すように金属製の線部材（針金）から形成されている。補強部材５は、図３に示すように転動体１３のピッチ円径ＰＣＤよりも内周側に設けられており、かつ保持器本体２の内周径よりも径方向外側に設けられている。
補強部材５は、図２に示すように柱部４の先端部に設けられる先端補強部５ａと、先端補強部５ａ同士を連結する連結部５ｂを交互に有している。
【００１２】
先端補強部５ａは、図２に示すように柱部４の一対の爪４ａ，４ｂに跨って延出している。そして爪４ａ，４ｂの内周側部４ａ１，４ｂ１間を架橋している。先端補強部５ａは、直線的あるいは円弧状に延出して一対の爪４ａ，４ｂを架橋している。
連結部５ｂは、図２に示すように略コ字状であって、柱部４内とベース部３内を通って先端補強部５ａの一端部と、他の先端補強部５ａの一端部を連結している。
【００１３】
以上のようにして実施の形態が形成されている。
すなわち補強部材５は、図２に示すように柱部４の先端部の周方向両端部（４ａ，４ｂ）に渡って周方向に延出し、かつ転動体１３のピッチ円径ＰＣＤよりも内周側に配設された先端補強部５ａを有している。
【００１４】
したがって補強部材５は、遠心力によって最も大きく変位し易い片持ち梁状の柱部４の先端部を先端補強部５ａによって補強する。また柱部４は、図３に示すように先端部の周方向両端部の内周側部４ａ１，４ｂ１が遠心力によって柱部４間に設けられたポケット部６に向けてそれぞれ矢印Ａ方向と矢印Ｂ方向に力を受ける。そして先端補強部５ａは、柱部４の内周側部４ａ１，４ｂ１に渡って周方向に延出するために、両端部が逆方向の引張力を受ける。そのため先端補強部５ａは、遠心力によって発生した前記引張力を利用して柱部４の先端部の変位を効率良く防止することができる。
【００１５】
また柱部４の先端部は、図２に示すように転動体１３に沿って延出する一対の爪４ａ，４ｂを有した二割れ形状になっている。そして先端補強部５ａによって一対の爪４ａ，４ｂの内周側部４ａ１，４ｂ１間が架橋されている。
したがって柱部４の先端部は、一対の爪４ａ，４ｂによって周方向の厚みが爪のない形態よりも薄くなっており、変形し易い構成になっている。そして一対の爪４ａ，４ｂの内周側部４ａ１，４ｂ１は、それぞれポケット部６に向けた矢印Ａ方向、Ｂ方向の力を受ける。そして先端補強部５ａは、一対の爪４ａ，４ｂの内周側部４ａ１，４ｂ１を架橋しているため、両端部が逆方向の引張力を受ける。そのため先端補強部５ａは、遠心力によって発生した引張力によって各爪４ａ，４ｂの変位を効率良く防止することができる。
【００１６】
また補強部材５は、図２に示すように一本の金属製の線部材によって形成されている。そして各柱部４の先端部に設けられる先端補強部５ａと、先端補強部５ａ間を連結するために柱部４内とベース部３内に延設された連結部５ｂとを交互に有している。
したがって補強部材５は、一本の金属製の線部材によって形成された容易な構成になっており、かつ部品点数の増加を抑えた構成になっている。
【００１７】
（他の実施の形態）
本発明は、上記実施の形態に限定されず、以下の形態であっても良い。
（１）すなわち上記実施の形態は、保持器が各柱部の先端部に一対の爪を有していた。しかし柱部の先端部に一対の爪を有していない形態であって、補強部材がその柱部の先端部の周方向両端部に渡って周方向に延出し、かつ転動体のピッチ円径よりも内周側に配設された先端補強部を有する形態であっても良い。
（２）上記実施の形態の補強部材は、金属製の線部材（針金）から形成されていた。しかし補強部材が金属板材から形成される形態であっても良い。
【図面の簡単な説明】
【００１８】
【図１】保持器の斜視図である。
【図２】保持器の内周側からの一部拡大斜視図である。
【図３】図２の矢印III方向からの保持器の上面図である。
【図４】玉軸受の断面図である。
【符号の説明】
【００１９】
１・・・保持器
２・・・保持器本体
３・・・ベース部
４ａ１，４ｂ１・・・内周側部
４・・・柱部
４ａ，４ｂ・・・爪（周方向両端部）
５・・・補強部材
５ａ・・・先端補強部
５ｂ・・・連結部
６・・・ポケット部
１０・・・玉軸受
１３・・・転動体
【図１】
2007263280.tif 000003
【図２】
2007263280.tif 000004
【図３】
2007263280.tif 000005
【図４】
2007263280.tif 000006